(57)【要約】【課題】携帯端末の設定に係る種々の情報を携帯端末間で引き継ぐことを課題とする。【解決手段】ＩＤユニット６０は、携帯端末１０の設定に係る種々の情報である設定情報を記憶し、携帯端末１０は、短距離無線や静電誘導などでＩＤユニット６０との通信回路が確立されると、ＩＤユニット６０を記憶領域として機能させるとともに、設定情報をＩＤユニット６０から受信して自身の記憶部に格納する。このようにして携帯端末１０は、ＩＤユニット６０から受け取った設定情報に応じて動作するように自身を制御する。なお、ＩＤユニット６０は、携帯端末１０ａ〜携帯端末１０ｄの間においても、同様に記憶領域として機能し、設定情報を交換可能にするものである。【選択図】        図１
2008135867.tif 000002
【特許請求の範囲】
【請求項１】
携帯端末の記憶領域として機能し、前記記憶領域に保持された情報を複数の携帯端末間において交換可能にするＩＤユニットであって、
前記携帯端末の設定に係る種々の情報である設定情報を記憶する記憶手段と、
前記記憶手段に記憶された前記設定情報を前記携帯端末との間で通信する通信手段と、
を備えたことを特徴とするＩＤユニット。
【請求項２】
前記記憶手段は、過去に前記携帯端末から発信された電話番号および過去に前記携帯端末で着信した電話番号を含んだ発着信履歴情報をさらに記憶し、
前記通信手段は、前記記憶手段に記憶された前記発着信履歴情報を前記携帯端末との間で通信することを特徴とする請求項１に記載のＩＤユニット。
【請求項３】
前記記憶手段は、前記携帯端末がユーザに通信サービスを提供するために必要な種々の情報である加入者識別情報をさらに記憶し、
前記通信手段は、前記記憶手段に記憶された前記加入者識別情報を前記携帯端末との間で通信することを特徴とする請求項１または２に記載のＩＤユニット。
【請求項４】
前記通信手段は、前記携帯端末との間の通信を非接触で行うことを特徴とする請求項１、２または３記載のＩＤユニット。
【請求項５】
前記記憶手段が記憶する情報を外部の情報処理装置との間で通信する外部通信手段をさらに備えたことを特徴とする請求項１〜４のいずれか一つに記載のＩＤユニット。
【請求項６】
前記携帯端末を操作しようとする者の正当性を認証する認証手段をさらに備え、
前記通信手段は、前記認証手段によって正当性が認められた場合にのみ通信を許可することを特徴とする請求項１〜５のいずれか一つに記載のＩＤユニット。
【請求項７】
前記記憶手段は、文字データ、静止画データ、動画データまたは音声データを扱うアプリケーションソフトをさらに記憶し、
前記通信手段は、前記記憶手段に記憶された前記アプリケーションを前記携帯端末との間で通信することを特徴とする請求項１〜６のいずれか一つに記載のＩＤユニット。
【請求項８】
前記記憶手段は、所定のアプリケーションソフトで扱われる文字データ、静止画データ、動画データまたは音声データのコンテンツをさらに記憶し、
前記通信手段は、前記記憶手段に記憶された前記コンテンツを前記携帯端末との間で通信することを特徴とする請求項１〜７のいずれか一つに記載のＩＤユニット。
【請求項９】
携帯端末と、前記携帯端末の記憶領域として機能し、前記記憶領域に保持された情報を複数の携帯端末間において交換可能にするＩＤユニットとからなる携帯端末システムであって、
前記ＩＤユニットは、
前記携帯端末の設定に係る種々の情報である設定情報を記憶する記憶手段と、
前記記憶手段に記憶された前記設定情報を前記携帯端末との間で通信する対携帯端末通信手段と、
を備え、
前記携帯端末は、
前記記憶手段に記憶された前記設定情報を前記ＩＤユニットとの間で通信する対ＩＤユニット通信手段と、
前記対ＩＤユニット通信手段を介して受け取った前記設定情報に応じて動作するように制御する動作制御手段と、
を備えたことを特徴とする携帯端末システム。
【請求項１０】
前記携帯端末は、
前記対ＩＤユニット通信手段の通信状態を監視し、通信状態が途切れた場合には、前記動作制御手段が予め設定された初期の設定情報に応じて動作するように制御する動作管理手段をさらに備えたことを特徴とする請求項９に記載の携帯端末システム。
【発明の詳細な説明】
【技術分野】
【０００１】
この発明は、ＩＤユニット、携帯端末システムに関する。
【背景技術】
【０００２】
携帯端末（携帯電話、ＰＨＳ（Personal Handyphone System）またはＰＤＡ（Personal Digital Assistants）など）がユーザに通信サービスを提供するには、電話番号や契約情報といった加入者識別情報が必要である。従来、携帯端末本体に加入者識別情報を記憶させるのではなく、携帯端末本体とは別のＩＣ（Integrated Circuit）カードに加入者識別情報を記憶させる手法があった。
【０００３】
その手法では、ＩＣカードが装着された携帯端末は、ＩＣカードが記憶する加入者識別情報を読み込み、通信サービスをユーザに提供する。また、ユーザがＩＣカードを別の携帯端末に装着すれば、ＩＣカードが装着された携帯端末は、同様にＩＣカードが記憶する加入者識別情報を読み込み、ユーザ本人の携帯端末として通信サービスを提供する。特許文献１では、こうしたＩＣカードのひとつであるＳＩＭ（Subscriber Identity Module）カードに関する技術が開示されている。
【０００４】
【特許文献１】特開２０００−１８４４６２号公報
【発明の開示】
【発明が解決しようとする課題】
【０００５】
ところで、上記した従来の技術では、携帯端末の設定に係る種々の情報を携帯端末間で引き継ぐことができないという問題点があった。つまり、上記した従来の技術では、ユーザがＩＣカードを携帯端末に装着することで、携帯端末間で加入者識別情報を引き継ぎ、ユーザ本人の携帯端末として通信できるようにはなるが、携帯端末の設定に係る種々の情報を携帯端末間で引き継ぎ、自分用にカスタマイズされた携帯端末として使用することができないという問題点があった。具体的に例を挙げれば、ユーザが現に使用している携帯端末Ａが、着信時において内蔵するバイブレータを振動させていた場合には、ユーザが携帯端末Ａから別の携帯端末ＢにＩＣカードを差し換えたとしても、「バイブレータの振動で着信を知らせる」という携帯端末Ａの設定に係る情報を携帯端末Ｂに引き継ぐことができなかった。
【０００６】
そこで、この発明は、上述した従来技術の課題を解決するためになされたものであり、携帯端末の設定に係る種々の情報を携帯端末間で引き継ぐことが可能となるＩＤユニットを提供することを目的とする。
【課題を解決するための手段】
【０００７】
上述した課題を解決し、目的を達成するため、請求項１に係る発明は、携帯端末の記憶領域として機能し、前記記憶領域に保持された情報を複数の携帯端末間において交換可能にするＩＤユニットであって、前記携帯端末の設定に係る種々の情報である設定情報を記憶する記憶手段と、前記記憶手段に記憶された前記設定情報を前記携帯端末との間で通信する通信手段と、
を備えたことを特徴とする。
【０００８】
また、請求項２に係る発明は、上記の発明において、前記記憶手段は、過去に前記携帯端末から発信された電話番号および過去に前記携帯端末で着信した電話番号を含んだ発着信履歴情報をさらに記憶し、前記通信手段は、前記記憶手段に記憶された前記発着信履歴情報を前記携帯端末との間で通信することを特徴とする。
【０００９】
また、請求項３に係る発明は、上記の発明において、前記記憶手段は、前記携帯端末がユーザに通信サービスを提供するために必要な種々の情報である加入者識別情報をさらに記憶し、前記通信手段は、前記記憶手段に記憶された前記加入者識別情報を前記携帯端末との間で通信することを特徴とする。
【００１０】
また、請求項４に係る発明は、上記の発明において、前記通信手段は、前記携帯端末との間の通信を非接触で行うことを特徴とする。
【００１１】
また、請求項５に係る発明は、上記の発明において、前記記憶手段が記憶する情報を外部の情報処理装置との間で通信する外部通信手段をさらに備えたことを特徴とする。
【００１２】
また、請求項６に係る発明は、上記の発明において、前記携帯端末を操作しようとする者の正当性を認証する認証手段をさらに備え、前記通信手段は、前記認証手段によって正当性が認められた場合にのみ通信を許可することを特徴とする。
【００１３】
また、請求項７に係る発明は、上記の発明において、前記記憶手段は、文字データ、静止画データ、動画データまたは音声データを扱うアプリケーションソフトをさらに記憶し、前記通信手段は、前記記憶手段に記憶された前記アプリケーションを前記携帯端末との間で通信することを特徴とする。
【００１４】
また、請求項８に係る発明は、上記の発明において、前記記憶手段は、所定のアプリケーションソフトで扱われる文字データ、静止画データ、動画データまたは音声データのコンテンツをさらに記憶し、前記通信手段は、前記記憶手段に記憶された前記コンテンツを前記携帯端末との間で通信することを特徴とする。
【００１５】
また、請求項９に係る発明は、携帯端末と、前記携帯端末の記憶領域として機能し、前記記憶領域に保持された情報を複数の携帯端末間において交換可能にするＩＤユニットとからなる携帯端末システムであって、前記ＩＤユニットは、前記携帯端末の設定に係る種々の情報である設定情報を記憶する記憶手段と、前記記憶手段に記憶された前記設定情報を前記携帯端末との間で通信する対携帯端末通信手段と、を備え、前記携帯端末は、前記記憶手段に記憶された前記設定情報を前記ＩＤユニットとの間で通信する対ＩＤユニット通信手段と、前記対ＩＤユニット通信手段を介して受け取った前記設定情報に応じて動作するように制御する動作制御手段と、を備えたことを特徴とする。
【００１６】
また、請求項１０に係る発明は、上記の発明において、前記携帯端末は、前記対ＩＤユニット通信手段の通信状態を監視し、通信状態が途切れた場合には、前記動作制御手段が予め設定された初期の設定情報に応じて動作するように制御する動作管理手段をさらに備えたことを特徴とする。
【発明の効果】
【００１７】
請求項１または９の発明によれば、携帯端末の設定に係る種々の情報である設定情報を記憶し、設定情報を携帯端末との間で通信するので、携帯端末の設定に係る種々の情報を携帯端末間で引き継ぐことが可能となる。つまり、設定情報を携帯端末本体ではなく、外部のＩＤユニットに記憶させ、設定情報について変更するたびに携帯端末とＩＤユニットとの間で設定情報の書き換えに係る通信が行われる結果、携帯端末の設定に係る種々の情報を携帯端末間で引き継ぐことが可能となる。
【００１８】
また、請求項２の発明によれば、過去に携帯端末から発信された電話番号および過去に携帯端末で着信した電話番号を含んだ発着信履歴情報をさらに記憶し、発着信履歴情報を携帯端末との間で通信するので、携帯端末の設定に係る種々の情報を携帯端末間で引き継いだ上で、電話番号を含んだ発着信履歴情報も携帯端末間で引き継ぐことが可能となる。
【００１９】
また、請求項３の発明によれば、携帯端末がユーザに通信サービスを提供するために必要な種々の情報である加入者識別情報をさらに記憶し、加入者識別情報を携帯端末との間で通信するので、携帯端末の設定に係る種々の情報を携帯端末間で引き継いだ上で、携帯端末がユーザに通信サービスを提供するために必要な種々の情報である加入者識別情報も携帯端末間で引き継ぐことが可能となる。
【００２０】
また、請求項４の発明によれば、携帯端末との間の通信を非接触で行うので、簡易に携帯端末間で種々の情報を引き継ぐことが可能となる。また、接触型のＩＣカードと比較して、規格による大きさの制限がないので、簡易にメモリを拡張することが可能となる。
【００２１】
また、請求項５の発明によれば、記憶手段が記憶する情報を外部の情報処理装置との間で通信するので、記憶手段が記憶する情報を外部の情報処理装置によって書き換えることが可能となる。
【００２２】
また、請求項６の発明によれば、携帯端末を操作しようとする者の正当性を認証し、正当性が認められた場合にのみ通信を許可するので、ＩＤユニットの記憶する情報を不当な使用者によって取得されることを防止することが可能となる。
【００２３】
また、請求項７の発明によれば、文字データ、静止画データ、動画データまたは音声データを扱うアプリケーションソフトをさらに記憶し、アプリケーションソフトを携帯端末との間で通信するので、携帯端末の設定に係る種々の情報を携帯端末間で引き継いだ上で、アプリケーションも携帯端末間で引き継ぐことが可能となる。
【００２４】
また、請求項８の発明によれば、所定のアプリケーションソフトで扱われる文字データ、静止画データ、動画データまたは音声データのコンテンツをさらに記憶し、コンテンツを前記携帯端末との間で通信するので、携帯端末の設定に係る種々の情報を携帯端末間で引き継いだ上で、コンテンツも携帯端末間で引き継ぐことが可能となる。
【００２５】
また、請求項１０の発明によれば、携帯端末は、ＩＤユニットとの通信状態を監視し、通信状態が途切れた場合には、予め設定された初期の設定情報に応じて動作するので、ＩＤユニットの記憶する設定情報が携帯端末に残ることを防止することが可能となる。
【発明を実施するための最良の形態】
【００２６】
以下に添付図面を参照して、この発明に係るＩＤユニットおよび携帯端末システムの実施例を詳細に説明する。なお、以下では、実施例１に係る携帯端末システムの概要および特徴、携帯端末システムにおけるＩＤユニットおよび携帯端末の構成および処理の流れ、実施例１の効果を順に説明する。次に、実施例１に係る携帯端末システムを引き続き運用した上での実施例２に係るＩＤユニットの概要および特徴、実施例２に係るＩＤユニットの構成および処理の流れ、実施例２の効果を説明する。次に、実施例１に係る携帯端末システムを引き続き運用した上での実施例３に係るＩＤユニットの概要および特徴、実施例３に係るＩＤユニットの構成および処理の流れ、実施例３の効果を説明する。次に、実施例４に係る携帯端末システムの概要および特徴、携帯端末システムにおける携帯端末の構成および処理の流れ、実施例４の効果を順に説明する。次に、実施例１に係る携帯端末システムを引き続き運用した上での実施例５に係るＩＤユニットの構成、実施例５の効果を説明し、最後に他の実施例を実施例６として説明する。
【実施例１】
【００２７】
［実施例１に係る携帯端末システムの概要および特徴］
まず、図１を用いて、実施例１に係る携帯端末システムの概要および特徴を説明する。図１は、実施例１に係る携帯端末システムの概要および特徴を説明するための図である。同図に示すように、携帯端末システムは、携帯端末１０と、携帯端末１０の記憶領域として機能し、記憶領域に保持された情報を携帯端末１０を含めた携帯端末間（携帯端末１０ａ〜携帯端末１０ｄ）において交換可能にするＩＤユニット６０とからなるシステムであり、携帯端末の設定に係る種々の情報を携帯端末間で引き継ぐことを可能としている点に主たる特徴がある。
【００２８】
この主たる特徴について説明すると、ＩＤユニット６０は、携帯端末１０の設定に係る種々の情報である設定情報を記憶する。具体的には、ＩＤユニット６０は、携帯端末の着信時の動作（例えば、着信時にはバイブレータを振動するなど）や携帯端末の待機中の動作（例えば、ディスプレイに待ち受け画面を表示するなど）などに係る設定情報を記憶する（図１の（１）参照）。
【００２９】
そして、ＩＤユニット６０は、記憶している設定情報を携帯端末１０との間で通信する。具体的には、ＩＤユニット６０は、短距離無線や静電誘導などによって携帯端末１０との通信回路が確立されると、携帯端末１０の記憶領域として機能するとともに、着信時の動作や待機中の動作などに係る設定情報を携帯端末１０に送信する（図１の（２）参照）。
【００３０】
一方、携帯端末１０は、設定情報をＩＤユニット６０との間で通信する。具体的には、携帯端末１０は、短距離無線や静電誘導などによってＩＤユニット６０との通信回路が確立されると、ＩＤユニット６０を記憶領域として機能させるとともに、着信時の動作や待機中の動作などに係る設定情報をＩＤユニット６０から受信して自身の記憶部に格納する（図１の（３）参照）。
【００３１】
そして、携帯端末１０は、ＩＤユニット６０から受け取った設定情報に応じて動作するように自身を制御する。具体的には、携帯端末１０は、着信があった場合には、着信時の動作に係る設定情報に応じてバイブレータを振動させるなどの動作をするように自身を制御する（図１の（４）参照）。
【００３２】
ここで、ＩＤユニット６０は、図１に示した携帯端末１０ａ〜携帯端末１０ｄの間においても、同様に記憶領域として機能し、設定情報を交換可能にし（図１の（５）参照）、携帯端末１０ａ〜携帯端末１０ｄは、その設定情報に応じて動作するように自身を制御する。つまり、このような携帯端末システムによれば、ユーザが今まで使用していた携帯端末１０とは別に、携帯端末１０ａを新たに購入した場合においても、携帯端末１０ａは、ＩＤユニット６０によって携帯端末１０の設定情報を引き継ぎ、その設定情報に応じて携帯端末１０と同様に動作するように自身を制御する（ユーザは、携帯端末１０を使用していたときと同じ設定で携帯端末１０ａを扱うことができる）。
【００３３】
したがって、この携帯端末システムによれば、上記した主たる特徴のとおり、携帯端末の設定に係る種々の情報を携帯端末間で引き継ぐことが可能となる。なお、図１では、この携帯端末システム上に登場する携帯端末の個数が５つとなっているが、個数についてはこの限りではなく、２つ以上であればいくつでもよい。
【００３４】
［実施例１に係るＩＤユニットの構成］
次に、図２を用いて、図１に示した携帯端末システムにおけるＩＤユニット６０の構成を説明する。図２は、ＩＤユニット６０の構成を示すブロック図である。
【００３５】
図２に示すように、ＩＤユニット６０は、設定情報記憶部７０と、通信部８０とを備える。なお、設定情報記憶部７０は、特許請求の範囲に記載の「記憶手段」に対応し、通信部８０は、同じく「通信手段」に対応する。
【００３６】
設定情報記憶部７０は、携帯端末１０の設定に係る種々の情報である設定情報を記憶する。具体的には、設定情報記憶部７０は、後述する携帯端末１０の通話処理部５１、メール処理部５２およびＷｅｂ（World Wide Web）処理部５３が、携帯端末１０に通話機能、メール機能、Ｗｅｂブラウザ機能を実装させた際に選択の余地が生じる各種動作内容と、当該動作内容を実行するか否かを示す選択状況とを対応付けて記憶する。
【００３７】
例えば、設定情報記憶部７０は、図３に示すように、通話処理部５１が携帯端末１０に通話機能を実装させた際には着信時の動作として「バイブレータ振動」や「非通知着信拒否」などの動作内容を実行するという設定情報を記憶する。
【００３８】
通信部８０は、設定情報記憶部７０に記憶された設定情報を携帯端末１０との間で通信する。具体的には、通信部８０は、後述する携帯端末１０の通信部３０が常時周囲に発信する電波、あるいは、発生させる磁界に応答し、携帯端末１０との通信回路を確立すると、設定情報を携帯端末１０に送信する。また、通信部８０は、携帯端末１０において設定情報が更新されるたびに、携帯端末１０の通信部３０が送信する「更新された設定情報」を受信し、設定情報記憶部７０に上書きして格納する。
【００３９】
［実施例１に係る携帯端末の構成］
次に、図４を用いて、図１に示した携帯端末システムにおける携帯端末１０の構成を説明する。図４は、携帯端末１０の構成を示すブロック図である。
【００４０】
図４に示すように、携帯端末１０は、アンテナ２０ａと、ディスプレイ２０ｂと、スピーカ２０ｃと、受話スピーカ２０ｄと、マイクロフォン２０ｅと、バイブレータ２０ｆと、タイマ２０ｇと、ＬＥＤ（Light Emitting Diode）２０ｈと、操作ボタン２０ｉと、電源２０ｊと、通信部３０と、記憶部４０と、制御部５０とを備える。なお、通信部３０は、特許請求の範囲に記載の「対ＩＤユニット通信手段」に対応する。
【００４１】
アンテナ２０ａは、電波を送信する、あるいは、受信する。ディスプレイ２０ｂは、各処理部による処理の実行結果を表示する。スピーカ２０ｃは、電気信号を物理的な振動に変換して着信音などを発し、受話スピーカ２０ｄは、同様に通話相手の音声を発する。マイクロフォン２０ｅは、音声による物理的な振動を電気信号に変換する。バイブレータ２０ｆは、重心のかたよった重りを同軸上で回転させることで振動を作る。タイマ２０ｇは、所定の基準で時間の流れを作り、所定の信号を受け取ると、その時間の流れの中で信号を受け取った一点の時刻情報を生成する。ＬＥＤ２０ｈは、電流によって光を発する。操作ボタン２０ｉは、ユーザに押下されることで所定の電気信号を作る。電源２０ｊは、携帯端末１０に電力を供給する。
【００４２】
通信部３０は、ＩＤユニット６０の設定情報記憶部７０に記憶された設定情報をＩＤユニット６０との間で通信する。具体的には、通信部３０は、ＩＤユニット６０の通信部８０に応答させるために、常時周囲に電波を発信する、あるいは、磁界を発生させるなどして待機し、通信部８０による応答があった場合には、ＩＤユニット６０との通信回路を確立し、設定情報記憶部７０に記憶された設定情報をＩＤユニット６０の通信部８０から受信して後述する記憶部４０の設定情報記憶部４１に格納する。また、通信部３０は、設定情報記憶部４１に格納された設定情報が更新されると、設定情報記憶部４１からその設定情報を読み込んでＩＤユニット６０の通信部８０に送信する。
【００４３】
記憶部４０は、後述する制御部５０による各種処理に必要なデータやプログラムを記憶し、特に本発明に密接に関連するものとしては、図４に示すように、通信部３０から出力された設定情報を記憶する設定情報記憶部４１を備える。具体的には、記憶部４０は、後述する制御部５０の通話処理部５１、メール処理部５２およびＷｅｂ処理部５３が携帯端末１０に通話機能、メール機能およびＷｅｂブラウザ機能を実装するために必要なデータやプログラムを記憶し、設定情報記憶部４１は、通話処理部５１、メール処理部５２およびＷｅｂ処理部５３によって設定情報が更新されるたびにその設定情報を受け取り、上書きして格納する。例えば、記憶部４０は、通話処理部５１が携帯端末１０に通話機能を実装するために必要なデータの一つである加入者識別情報（電話番号、ユーザＩＤ、契約情報など）を記憶する。
【００４４】
制御部５０は、各種処理手順を既定したプログラムや制御データを格納するための内部メモリを有し、これらによって種々の処理を実行し、特に本発明に密接に関連するものとしては、図４に示すように、通話処理部５１と、メール処理部５２と、Ｗｅｂ処理部５３とを備える。なお、通話処理部５１、メール処理部５２およびＷｅｂ処理部５３は、それぞれ特許請求の範囲に記載の「動作制御手段」に対応する。
【００４５】
通話処理部５１は、携帯端末１０に通話機能を実装させるとともに、通信部３０を介して受け取った設定情報に応じて動作するように携帯端末１０を制御する。具体的には、通話処理部５１は、アンテナ２０ａ、ディスプレイ２０ｂ、スピーカ２０ｃ、受話スピーカ２０ｄ、マイクロフォン２０ｅ、バイブレータ２０ｆ、タイマ２０ｇ、ＬＥＤ２０ｈおよび操作ボタン２０ｉを制御することによって、通話に係る一連の処理を実行する。
【００４６】
例えば、通話処理部５１は、アンテナ２０ａが着信に係る電波を受信すると、通信部３０を介して受け取った「バイブレータ振動」や「ＬＥＤを点滅状態１で点滅」などの設定情報に応じて、電源２０ｊによってバイブレータ２０ｆやＬＥＤ２０ｈに電力を供給して携帯端末１０を振動させたり、携帯端末１０の所定の部位を発光させたりする。そして、通話処理部５１は、操作ボタン２０ｉから所定の電気信号を受け取ると、バイブレータ２０ｆやＬＥＤ２０ｈへの電力の供給を止めるとともに、受話スピーカ２０ｄやマイクロフォン２０ｅに電力を供給して通話状態を確立する。なお、通話処理部５１は、タイマ２０ｇが着信時に生成した時刻情報と、着信した電話番号とを対応付けて着信履歴情報として記憶部４０に格納したり（同様にタイマ２０ｇが発信時に生成した時刻情報と、発信先の電話番号を対応付けて発信履歴情報として記憶部４０に格納する）、着信時の動作としてディスプレイ２０ｂに発信先の電話番号を表示させたり、設定情報によってはスピーカ２０ｃから所定の着信音を鳴らしたりする。
【００４７】
メール処理部５２は、携帯端末１０にメール機能を実装させるとともに、通信部３０を介して受け取った設定情報に応じて動作するように携帯端末１０を制御する。具体的には、通話処理部５１は、アンテナ２０ａ、ディスプレイ２０ｂ、スピーカ２０ｃ、バイブレータ２０ｆ、タイマ２０ｇ、ＬＥＤ２０ｈおよび操作ボタン２０ｉを制御することによって、メールの作成、編集、保存、あるいは、送受信などに係る一連の処理を実行する。
【００４８】
例えば、メール処理部５２は、アンテナ２０ａがメールの受信に係る電波を受信すると、通信部３０を介して受け取った「スピーカから着信音１を鳴らす」や「ＬＥＤを点滅状態１で点滅」などの設定情報に応じて、電源２０ｊによってスピーカ２０ｃやＬＥＤ２０ｈに電力を供給することによって携帯端末１０から着信音を鳴らしたり、携帯端末１０の所定の部位を発光させたりする。なお、メール処理部５２は、タイマ２０ｇがメールの受信時に生成した時刻情報と、メールとを対応付けて記憶部４０に格納したり、メールの受信時の動作としてディスプレイ２０ｂに所定の動画を表示させたり、設定情報によってはバイブレータ２０ｆを振動させたりする。
【００４９】
Ｗｅｂ処理部５３は、携帯端末１０にＷｅｂブラウザ機能を実装させるとともに、通信部３０を介して受け取った設定情報に応じて動作するように携帯端末１０を制御する。具体的には、Ｗｅｂ処理部５３は、アンテナ２０ａ、ディスプレイ２０ｂおよび操作ボタン２０ｉを制御することによって、Ｗｅｂページのダウンロードなどに係る一連の処理を実行する。
【００５０】
例えば、Ｗｅｂ処理部５３は、アンテナ２０ａからＷｅｂページに係る情報を受信すると、通信部３０を介して受け取った「文字サイズ１で表示」などの設定情報に応じて、ダウンロードしたＷｅｂページをディスプレイ２０ｂに所定の文字サイズで表示する。なお、Ｗｅｂ処理部５３は、操作ボタン２０ｉから所定の電気信号を受け取ると、ディスプレイに表示されたリンク先への選択カーソルを現に表示されている場所から別の場所へ表示したりする。また、Ｗｅｂ処理部５３は、Ｗｅｂページのほかに、アプリケーションソフトやコンテンツをダウンロードし、当該アプリケーションソフトやコンテンツを記憶部４０に格納する。
【００５１】
［実施例１に係る携帯端末およびＩＤユニットによる処理］
次に、図５を用いて、実施例１における携帯端末１０およびＩＤユニット６０による処理を説明する。図５は、携帯端末１０およびＩＤユニット６０による通信処理の流れを示すフローチャートである。
【００５２】
携帯端末１０において、通信部３０は、常時周囲に電波を発信し（ステップＳ５０１）、ＩＤユニット６０からの応答があるまで待機する（ステップＳ５０２）。一方、ＩＤユニット６０において、通信部８０は、携帯端末１０から電波を受信すると（ステップＳ５０３肯定）、応答に係る電波を発信する（ステップＳ５０４）。
【００５３】
そして、携帯端末１０において、通信部３０は、ＩＤユニット６０から応答があると（ステップＳ５０２肯定）、ＩＤユニット６０との通信回路を確立する（ステップＳ５０５）。ここで、ＩＤユニット６０において、通信部８０は、同様に携帯端末１０との通信回路を確立し（ステップＳ５０６）、設定情報を携帯端末１０に送信する（ステップＳ５０７）。
【００５４】
そして、携帯端末１０において、通信部３０は、設定情報を受信して設定情報記憶部４１に格納し（ステップＳ５０８）、設定情報の更新があった場合には（ステップＳ５０９肯定）、設定情報記憶部４１から設定情報を読み込んで通信部８０に送信し（ステップＳ５１０）、処理を終了する。そして、ＩＤユニット６０において、通信部８０は、設定情報を受信して設定情報記憶部７０に上書きして格納し（ステップＳ５１１）、処理を終了する。
【００５５】
［実施例１の効果］
上述したように、実施例１によれば、携帯端末の設定に係る種々の情報である設定情報を記憶し、設定情報を携帯端末との間で通信するので、携帯端末の設定に係る種々の情報を携帯端末間で引き継ぐことが可能となる。つまり、設定情報を携帯端末本体ではなく、外部のＩＤユニットに記憶させ、設定情報について変更するたびに携帯端末とＩＤユニットとの間で設定情報の書き換えに係る通信が行われる結果、携帯端末の設定に係る種々の情報を携帯端末間で引き継ぐことが可能となる。
【００５６】
また、実施例１によれば、携帯端末との間の通信を非接触で行うので、簡易に携帯端末間で種々の情報を引き継ぐことが可能となる。また、接触型のＩＣカードと比較して、規格による大きさの制限がないので、簡易にメモリを拡張することが可能となる。
【実施例２】
【００５７】
実施例２では、実施例１の携帯端末システムにおいて、ＩＤユニットが外部の情報処理装置と通信することで設定情報を書き換える場合を説明する。
【００５８】
［実施例２に係るＩＤユニットの概要および特徴］
まず、図６を用いて、実施例２に係るＩＤユニット９０の概要および特徴を説明する。図６は、実施例２に係るＩＤユニット９０の概要および特徴を説明するための図である。同図に示すように、ＩＤユニット９０は、実施例１と同様、携帯端末１０の記憶領域として機能し、記憶領域に保持された情報を携帯端末１０を含めた携帯端末間（携帯端末１０ａ〜携帯端末１０ｄ）において交換可能にするものであり、自身が記憶する設定情報を外部の情報処理装置１によって書き換えることを可能としている点に主たる特徴がある。
【００５９】
この主たる特徴について説明すると、ＩＤユニット９０は、記憶する設定情報を外部の情報処理装置１との間で通信する。具体的には、ＩＤユニット９０は、短距離無線や専用のケーブルなどで情報処理装置１との通信回路が確立されると、記憶する設定情報を情報処理装置１に送信する（図６の（Ａ）参照）。そして、ＩＤユニット９０は、情報処理装置１が書き換えた設定情報を受信し、上書きして格納する（図６の（Ｂ）および（Ｃ）参照）。
【００６０】
したがって、このＩＤユニットによれば、上記した主たる特徴のとおり、記憶する設定情報を外部の情報処理装置によって書き換えることが可能となる。
【００６１】
［実施例２に係るＩＤユニットの構成］
次に、図７を用いて、図６に示したＩＤユニット９０の構成を説明する。図７は、ＩＤユニット９０の構成を示すブロック図である。
【００６２】
図７に示すように、ＩＤユニット９０は、設定情報記憶部７０と、通信部８０と、通信部８１とを備える。なお、通信部８１は、特許請求の範囲に記載の「外部通信手段」に対応する。また、実施例１と同じ動作をするものについては同じ番号を付して説明を省略し、以下では、通信部８１のみ説明を行う。
【００６３】
通信部８１は、設定情報記憶部７０が記憶する設定情報を外部の情報処理装置１との間で通信する。具体的には、通信部８１は、短距離無線や専用のケーブルなどで外部の情報処理装置１との通信回路を確立すると、設定情報を情報処理装置１に送信する。また、通信部８１は、情報処理装置１が書き換えた設定情報を受信すると、設定情報記憶部７０が記憶する設定情報に上書きして格納する。
【００６４】
［実施例２に係るＩＤユニットによる通信処理］
次に、図８を用いて、実施例２におけるＩＤユニット９０による通信処理を説明する。図８は、ＩＤユニット９０による通信処理の流れを示すフローチャートである。
【００６５】
ＩＤユニット９０において、通信部８１は、情報処理装置１との通信回路が確立されると（ステップＳ８０１肯定）、設定情報記憶部７０が記憶する設定情報を情報処理装置１に送信する（ステップＳ８０２）。そして、通信部８１は、情報処理装置１によって書き換えられた設定情報を受信すると（ステップＳ８０３肯定）、設定情報記憶部７０が記憶する設定情報に上書きして格納し（ステップＳ８０４）、処理を終了する。
【００６６】
［実施例２の効果］
上述したように、実施例２によれば、ＩＤユニットが記憶する情報を外部の情報処理装置との間で通信するので、設定情報を外部の情報処理装置によって書き換えることが可能となる。
【実施例３】
【００６７】
実施例３では、実施例１の携帯端末システムにおいて、ＩＤユニットがユーザに対して正当性の認証を行う場合を説明する。
【００６８】
［実施例３に係るＩＤユニットの概要および特徴］
まず、図９を用いて、実施例３に係るＩＤユニット１００の概要および特徴を説明する。図９は、実施例３に係るＩＤユニット１００の概要および特徴を説明するための図である。同図に示すように、ＩＤユニット１００は、実施例１と同様、携帯端末１０の記憶領域として機能し、記憶領域に保持された情報を携帯端末１０を含めた携帯端末間（携帯端末１０ａ〜携帯端末１０ｄ）において交換可能にするものであり、設定情報を不当な使用者によって取得されることを防止することを可能としている点に主たる特徴がある。
【００６９】
この主たる特徴について説明すると、ＩＤユニット１００は、携帯端末１０を操作しようとする者の正当性を認証する。具体的には、ＩＤユニット１００は、短距離無線や静電誘導などで携帯端末１０との通信回路が確立されると、実施例１と異なり、記憶する設定情報を情報処理装置１に送信する前に、入力された暗証番号を照合することによって携帯端末１０を操作しようとする使用者２の正当性を認証する（図９の（１）参照）。
【００７０】
そして、ＩＤユニット１００は、使用者２の正当性が認められた場合にのみ通信を許可する。具体的には、ＩＤユニット１００は、使用者２の正当性が認められると、実施例１と同様、携帯端末１０の記憶領域として機能するとともに、携帯端末の着信時の動作や携帯端末の待機中の動作などに係る設定情報を携帯端末１０に送信する（図９の（２）参照）。一方、ＩＤユニット１００は、使用者２の正当性が認められない場合には、暗証番号の再入力を要求する、あるいは、警報音を発するなどして、上記のように携帯端末１０の記憶領域として機能するとともに、設定情報を携帯端末１０に送信する処理には移らない（図９の（３）参照）。なお、認証方法については暗証番号の入力に限られず、生体認証などあらゆる認証手法を採用することができる。
【００７１】
したがって、このＩＤユニットによれば、上記した主たる特徴のとおり、設定情報を不当な使用者によって取得されることを防止することが可能となる。
【００７２】
［実施例３に係るＩＤユニットの構成］
次に、図１０を用いて、図９に示したＩＤユニット１００の構成を説明する。図１０は、ＩＤユニット１００の構成を示すブロック図である。
【００７３】
図１０に示すように、ＩＤユニット１００は、入力部１１０と、出力部１２０と、入出力制御Ｉ／Ｆ部１３０と、記憶部１４０と、制御部１５０とを備える。
【００７４】
入力部１１０は、各種の情報や操作指示の入力を受付け、テンキーボードなどで構成される。具体的には、入力部１１０は、ユーザがテンキーボードのキーを押下することによって生成される暗証番号の数字情報を受け取ると、入出力制御Ｉ／Ｆ部１３０に出力する。例えば、入力部１１０は、４桁の暗証番号「１２３４」の数字情報を受け取り、入出力制御Ｉ／Ｆ部１３０に出力する。
【００７５】
出力部１２０は、各種処理の結果を出力し、ディスプレイなどで構成される。具体的には、入出力制御Ｉ／Ｆ部１３０から出力情報を受け取ると、ディスプレイに出力表示する。例えば、出力部１２０は、ディスプレイに「暗証番号を入力してください」や「暗証番号を再入力してください」などの文字を表示する。なお、出力部１２０に表示されるものについては文字に限らず、ユーザに暗証番号の入力を促すものであればよい。入出力制御Ｉ／Ｆ部１３０は、上述した入力部１１０および出力部１２０と、後述する制御部１５０との間におけるデータ転送を制御する。
【００７６】
記憶部１４０は、制御部１５０による各種処理に必要なデータおよびプログラムを記憶し、特に本発明に密接に関連するものとしては、設定情報記憶部７０を備える。具体的には、記憶部１４０は、後述する制御部１５０の認証部１５２がＩＤユニット１００から受け取った暗証番号と照合するための番号である照合用番号を記憶する。なお、設定情報記憶部７０が記憶する情報については実施例１と同様であるので、ここでは説明を省略する。
【００７７】
制御部１５０は、各種処理手順を既定したプログラムや制御データを格納するための内部メモリを有し、これらによって種々の処理を実行し、特に本発明に密接に関連するものとしては、図１０に示すように、通信部１５１と、認証部１５２とを備える。なお、通信部１５１は、特許請求の範囲に記載の「通信手段」に対応し、認証部１５２は、同じく「認証手段」に対応する。
【００７８】
通信部１５１は、設定情報記憶部７０に記憶された設定情報を携帯端末１０との間で通信する。具体的には、通信部１５１は、携帯端末１０が常時周囲に発信する電波、あるいは、発生させる磁界に応答し、携帯端末１０との通信回路を確立すると、認証開始を指示する信号を認証部１５２に出力して待機する。そして、通信部１５１は、認証部１５２から設定情報の送信を許可する信号を受け取ると、設定情報記憶部７０から設定情報を読み出して携帯端末１０に送信する。
【００７９】
認証部１５２は、携帯端末１０を操作しようとする者の正当性を認証する。具体的には、認証部１５２は、通信部１５１から認証開始を指示する信号を受け取ると、出力部１２０に暗証番号の入力をユーザに対して促す文字情報を出力して待機する。そして、認証部１５２は、入力部１１０から暗証番号を受け取ると、記憶部１４０に予め格納されている照合用番号を読み出して照合し、正当性が認められた場合には、通信部１５１に設定情報の送信を許可する信号を出力する。一方、認証部１５２は、正当性が認められない場合には、出力部１２０に暗証番号の再入力をユーザに対して促す文字を出力して待機する。
【００８０】
［実施例３に係るＩＤユニットによる処理］
次に、図１１を用いて、実施例３におけるＩＤユニット１００による処理を説明する。図１１は、ＩＤユニット１００による認証処理の流れを示すフローチャートである。
【００８１】
ＩＤユニット１００において、通信部１５１は、携帯端末１０との通信回路が確立されると（ステップＳ１１０１肯定）、認証開始を指示する信号を認証部１５２に出力する（ステップＳ１１０２）。そして、信号を受け取った認証部１５２が暗証番号の入力を促す文字情報を出力部１２０に出力することで、出力部は、暗証番号の入力を促す文字を表示する（ステップＳ１１０３）。
【００８２】
そして、認証部１５２は、入力部１１０から暗証番号を受け取ると、記憶部１４０に予め格納されている照合用番号を読み出して照合する（ステップＳ１１０４）。
【００８３】
そして、認証部１５２は、正当性が認められた場合には（ステップＳ１１０５肯定）、通信部１５１に設定情報の送信を許可する信号を出力し、信号を受け取った通信部１５１は、設定情報記憶部７０が記憶する設定情報を読み出して携帯端末１０に送信し（ステップＳ１１０６）、処理を終了する。一方、認証部１５２は、正当性が認められない場合には（ステップＳ１１０５否定）、暗証番号の再入力を促す文字情報を出力部１２０に出力し、受け取った出力部１２０が暗証番号の再入力を促す文字を表示し（ステップＳ１１０７）、処理を終了する。
【００８４】
なお、上記の実施例３では、ＩＤユニット１００で認証処理を行う場合を説明したが、本発明はこれに限定されるものではなく、ＩＤユニット１００が記憶する暗証番号を携帯端末で認証するようにしてもよい。
【００８５】
図１７は、実施例３の変形例を説明するための図であるが、同図に示すように、携帯端末１３は、実施例１と同様、アンテナ２０ａと、ディスプレイ２０ｂと、スピーカ２０ｃと、受話スピーカ２０ｄと、マイクロフォン２０ｅと、バイブレータ２０ｆと、タイマ２０ｇと、ＬＥＤ２０ｈと、操作ボタン２０ｉと、電源２０ｊと、通信部３０と、記憶部４０と、制御部５０とを備える。また、記憶部４０は、設定情報記憶部４１のほか、実施例１と異なり、照合用情報記憶部４７とを備え、制御部５０は、通話処理部５１、メール処理部５２およびＷｅｂ処理部５３のほか、実施例１と異なり、認証部５５を備える。
【００８６】
通信部３２は、ＩＤユニット１００との通信回路がされた後、ＩＤユニット１００の通信部１５１から送信された暗証番号を受信して認証部５５に出力する。
【００８７】
暗証番号を受信した認証部５５は、ディスプレイ２０ｂに暗証番号の入力をユーザに対して促す文字情報を出力して待機する。そして、認証部５５は、操作ボタン２０ｉから暗証番号を受け取ると、照合用番号記憶部４７に予め格納されている照合用番号を読み出して照合し、正当性が認められた場合には、ＩＤユニット１００の通信部１５１に設定情報の送信を許可する信号を出力する。このようにして、ＩＤユニット１００が記憶する暗証番号を携帯端末で認証するようにしてもよい。
【００８８】
［実施例３の効果］
上述したように、実施例３によれば、ＩＤユニットは、携帯端末を操作しようとする者の正当性を認証し、正当性が認められた場合にのみ通信を許可するので、記憶する情報を不当な使用者によって取得されることを防止することが可能となる。
【実施例４】
【００８９】
実施例４では、実施例１の携帯端末システムにおいて、一旦はＩＤユニットとの間に確立した通信回路が切断された際に、携帯端末がＩＤユニットが記憶する設定情報ではなく、予め記憶する初期設定情報に応じて動作する場合を説明する。
【００９０】
［実施例４に係る携帯端末システムの概要および特徴］
図１２を用いて、実施例４に係る携帯端末システムの概要および特徴を説明する。図１２は、実施例４に係る携帯端末システムの概要および特徴を説明するための図である。同図に示すように、携帯端末システムは、携帯端末１１と、携帯端末１１の記憶領域として機能し、記憶領域に保持された情報を携帯端末１１を含めた携帯端末間（携帯端末１０ａ〜携帯端末１０ｄ）において交換可能にするＩＤユニット６０とからなるシステムであり、ＩＤユニット６０の記憶する設定情報が携帯端末に残ることを防止することを可能としている点に主たる特徴がある。
【００９１】
この主たる特徴について説明すると、携帯端末１１は、ＩＤユニット６０との通信状態を監視し、通信状態が途切れた場合には、予め設定された初期の設定情報に応じて自身を制御する。具体的には、携帯端末１１は、短距離無線や静電誘導などでＩＤユニット６０との通信回路が確立できる範囲である通信範囲３にＩＤユニット６０が存在する場合には、実施例１と同様、ＩＤユニット６０を記憶領域として機能させるとともに、着信時の動作や待機中の動作などに係る設定情報をＩＤユニット６０から受信して格納し（図１２の（１）参照）、その設定情報に応じて自身を制御する。ここで、携帯端末１１は、ＩＤユニット６０が通信範囲３から外れた場合には、ＩＤユニット６０から受信した設定情報を予め記憶している初期設定情報に書き換え（図１２の（２）参照）、その初期設定情報に応じて自身を制御する。
【００９２】
したがって、この携帯端末システムによれば、上記した主たる特徴のとおり、ＩＤユニットの記憶する設定情報が携帯端末に残ることを防止することが可能となる。
【００９３】
［実施例４に係る携帯端末の構成］
次に、図１３を用いて、図１２に示した携帯端末システムにおける携帯端末１１の構成を説明する。図１３は、携帯端末１１の構成を示すブロック図である。
【００９４】
図１３に示すように、携帯端末１１は、アンテナ２０ａと、ディスプレイ２０ｂと、スピーカ２０ｃと、受話スピーカ２０ｄと、マイクロフォン２０ｅと、バイブレータ２０ｆと、タイマ２０ｇと、ＬＥＤ２０ｈと、操作ボタン２０ｉと、電源２０ｊと、通信部３１と、記憶部４０と、制御部５０とを備える。また、記憶部４０は、設定情報記憶部４１と、初期設定情報記憶部４２とを備え、制御部５０は、通話処理部５１と、メール処理部５２と、Ｗｅｂ処理部５３と、設定情報管理部５４とを備える。なお、実施例１と同じ動作をするものについては同じ番号を付して説明を省略し、以下では、通信部３１と、初期設定情報記憶部４２と、設定情報管理部５４の説明を行う。
【００９５】
通信部３１は、ＩＤユニット６０に記憶された設定情報をＩＤユニット６０との間で通信する。具体的には、通信部３１は、ＩＤユニット６０に応答させるために、常時周囲に電波を発信する、あるいは、磁界を発生させるなどして待機し、ＩＤユニット６０による応答があった場合には、ＩＤユニット６０との通信回路を確立し、設定情報をＩＤユニット６０から受信して設定情報記憶部４１に格納する。また、通信部３１は、設定情報記憶部４１に格納された設定情報が更新されるとともに、設定情報記憶部４１からその設定情報を読み込んでＩＤユニット６０に送信する。ここで、通信部３１は、ＩＤユニット６０との通信回路が切断された場合には、設定情報記憶部４１の初期化を指示する信号を設定情報管理部５４に出力する。
【００９６】
設定情報管理部５４は、通信部３１の通信状態を監視し、通信状態が途切れた場合には、通話処理部５１、メール処理部５２およびＷｅｂ処理部５３が予め設定された初期の設定情報に応じて動作するように制御する。具体的には、設定情報管理部５４は、通信部３１から設定情報記憶部４１の初期化を指示する信号を受け取ると、所定の初期設定情報を記憶する初期設定情報記憶部４２から所定の初期設定情報を読み出し、設定情報記憶部４１に上書きして格納する。なお、通話処理部５１、メール処理部５２およびＷｅｂ処理部５３は、設定情報記憶部４１に格納された初期設定情報に応じて動作する。
【００９７】
［実施例４に係る携帯端末による処理］
次に、図１４を用いて、実施例４における携帯端末１１による処理を説明する。図１４は、携帯端末１１による処理の流れを示すフローチャートである。
【００９８】
通信部３１は、通信回路が切断されると（ステップＳ１４０１肯定）、設定情報記憶部４１の初期化を指示する信号を設定情報管理部５４に出力する（ステップＳ１４０２）。そして、信号を受け取った設定情報管理部５４は、初期設定情報記憶部４２から初期設定情報を読み出し（ステップＳ１４０３）、設定情報記憶部４１に上書きして格納する（ステップＳ１４０４）。そして、通話処理部５１、メール処理部５２およびＷｅｂ処理部５３は、設定情報記憶部４１に格納された初期設定情報に応じて動作する（ステップＳ１４０５）。
【００９９】
［実施例４の効果］
上述したように、実施例４によれば、携帯端末は、通信状態を監視し、通信状態が途切れた場合には、予め設定された初期の設定情報に応じて動作するので、ＩＤユニットの記憶する設定情報が携帯端末に残ることを防止することが可能となる。
【実施例５】
【０１００】
実施例１では、ＩＤユニットは、設定情報のみを記憶するものとして説明したが、実施例５では、設定情報に加えて種々の情報も記憶する場合を説明する。
【０１０１】
［実施例５に係るＩＤユニットの構成］
図１５を用いて、ＩＤユニット１６０の構成を説明する。図１５は、ＩＤユニット１６０の構成を示すブロック図である。
【０１０２】
図１５に示すように、ＩＤユニット１６０は、設定情報記憶部７０と、発着信履歴情報記憶部７１と、加入者識別情報記憶部７２と、アプリケーションソフト記憶部７３と、コンテンツ記憶部７４と、通信部８２とを備える。なお、実施例１と同じ動作をするものについては同じ番号を付して説明を省略し、以下では、発着信履歴情報記憶部７１と、加入者識別情報記憶部７２と、アプリケーションソフト記憶部７３と、コンテンツ記憶部７４と、通信部８２のみ説明を行う。
【０１０３】
発着信履歴情報記憶部７１は、過去に携帯端末１２から発信された電話番号および過去に携帯端末１２で着信した電話番号を含んだ発着信履歴情報を記憶する。加入者識別情報記憶部７２は、携帯端末１２がユーザに通信サービスを提供するために必要な種々の情報である加入者識別情報を記憶する。アプリケーションソフト記憶部７３は、文字データ、静止画データ、動画データまたは音声データを扱うアプリケーションソフトを記憶する。コンテンツ記憶部７４は、所定のアプリケーションソフトで扱われる文字データ、静止画データ、動画データまたは音声データのコンテンツを記憶する。
【０１０４】
通信部８２は、設定情報記憶部７０、発着信履歴情報記憶部７１、加入者識別情報記憶部７２、アプリケーションソフト記憶部７３、コンテンツ記憶部７４に記憶された情報を携帯端末１２との間で通信する。
【０１０５】
具体的には、通信部８２は、後述する携帯端末１２の通信部３２が常時周囲に発信する電波あるいは、発生させる磁界に応答し、携帯端末１２との通信回路を確立すると、設定情報、発着信履歴情報、加入者識別情報、アプリケーションソフトおよびコンテンツを携帯端末１２に送信する。
【０１０６】
また、通信部８２は、携帯端末１２の設定情報記憶部４１、発着信履歴情報記憶部４３、アプリケーションソフト記憶部４５またはコンテンツ記憶部４６に記憶された情報が更新または追加されるたびに携帯端末１２の通信部３２が送信する「更新された情報」や「追加された情報」を受信し、設定情報記憶部７０、発着信履歴情報記憶部７１、アプリケーションソフト記憶部７３、コンテンツ記憶部７４に上書きまたは追加して格納する。
【０１０７】
［実施例５に係る携帯端末の構成］
次に、図１６を用いて、携帯端末１２の構成を説明する。図１６は、携帯端末１２の構成を示すブロック図である。
【０１０８】
図１６に示すように、携帯端末１２は、アンテナ２０ａと、ディスプレイ２０ｂと、スピーカ２０ｃと、受話スピーカ２０ｄと、マイクロフォン２０ｅと、バイブレータ２０ｆと、タイマ２０ｇと、ＬＥＤ２０ｈと、操作ボタン２０ｉと、電源２０ｊと、通信部３２と、記憶部４０と、制御部５０とを備える。また、記憶部４０は、設定情報記憶部４１と、発着信履歴情報記憶部４３と、加入者識別情報記憶部４４と、アプリケーションソフト記憶部４５と、コンテンツ記憶部４６とを備え、制御部５０は、通話処理部５１と、メール処理部５２と、Ｗｅｂ処理部５３とを備える。なお、実施例１と同じ動作をするものについては同じ番号を付して説明を省略し、以下では、通信部３２と、発着信履歴情報記憶部４３と、加入者識別情報記憶部４４と、アプリケーションソフト記憶部４５と、コンテンツ記憶部４６のみ説明を行う。
【０１０９】
通信部３２は、ＩＤユニット１６０の設定情報記憶部７０、発着信履歴情報記憶部７１、加入者識別情報記憶部７２、アプリケーションソフト記憶部７３およびコンテンツ記憶部７４に記憶された各種の情報をＩＤユニット１６０との間で通信する。
【０１１０】
具体的には、通信部３２は、ＩＤユニット１６０の通信部８２に応答させるために、常時周囲に電波を発信する、あるいは、磁界を発生させるなどして待機し、通信部８２による応答があった場合には、ＩＤユニット１６０との通信回路を確立し、設定情報記憶部７０、発着信履歴情報記憶部７１、加入者識別情報記憶部７２、アプリケーションソフト記憶部７３およびコンテンツ記憶部７４に記憶された各種の情報をＩＤユニット１６０から受信して記憶部４０の設定情報記憶部４１、発着信履歴情報記憶部４３、加入者識別情報記憶部４４、アプリケーションソフト記憶部４５、コンテンツ記憶部４６にそれぞれ格納する。
【０１１１】
また、通信部３２は、設定情報記憶部４１、発着信履歴情報記憶部４３、アプリケーションソフト記憶部４５、コンテンツ記憶部４６に格納された各種の情報が更新または追加されるとともに、設定情報記憶部４１、発着信履歴情報記憶部４３、アプリケーションソフト記憶部４５、コンテンツ記憶部４６から更新または追加された情報を読み込んで通信部８２に送信する。
【０１１２】
発着信履歴情報記憶部４３は、通話処理部５１によって生成された着信履歴情報や発信履歴情報を記憶する。具体的には、発着信履歴情報記憶部４３は、タイマ２０ｇが着信時に生成した時刻情報と、着信した電話番号とを対応付けた着信履歴情報、ならびに、タイマ２０ｇが発信時に生成した時刻情報と、発信先の電話番号を対応付けた発信履歴情報を通話処理部５１から受け取って記憶する。
【０１１３】
加入者識別情報記憶部４４は、通話処理部５１が携帯端末１２に通話機能を実装するために必要なデータの一つである加入者識別情報（電話番号、ユーザＩＤ、契約情報など）を記憶する。
【０１１４】
アプリケーションソフト記憶部４５は、Ｗｅｂ処理部がダウンロードしたアプリケーションソフトを記憶し、コンテンツ記憶部４６は、同様にＷｅｂ処理部がダウンロードしたコンテンツを記憶する。
【０１１５】
［実施例５の効果］
上述したように、実施例５によれば、ＩＤユニットは、発着信履歴情報、加入者識別情報、アプリケーションソフトおよびコンテンツをさらに記憶するので、携帯端末の設定に係る種々の情報を携帯端末間で引き継いだ上で、発着信履歴情報、加入者識別情報、アプリケーションソフトおよびコンテンツを携帯端末間で引き継ぐことが可能となる。
【実施例６】
【０１１６】
さて、これまで本発明の実施例について説明したが、本発明は上述した実施例以外にも、種々の異なる形態にて実施されてよいものである。そこで、以下に示すように、（１）〜（７）にそれぞれ区分けして異なる実施例を説明する。
【０１１７】
（１）通信方法
上記の実施例１〜５では、ＩＤユニットと、携帯端末とが非接触で通信するものとして説明したが、本発明はこれに限定されるものではなく、例えば、携帯端末に専用のソケットを設け、ＩＤユニットをそこに差し込むことで接触させて通信するようにしてもよい。
【０１１８】
（２）通信方法
また、上記の実施例１〜５では、ＩＤユニットと、携帯端末とが互いに通信回路を確立するとともに、携帯端末がＩＤユニットから情報を読み込んで格納するものとして説明したが、本発明はこれに限定されるものではなく、例えば、携帯端末が自身に情報を格納せずに、必要なときにその都度ＩＤユニットから必要な情報を読み込むようにしてもよい。
【０１１９】
（３）携帯端末に実装する機能
また、上記の実施例１〜５では、携帯端末が通話機能、メール機能およびＷｅｂブラウザ機能を実装するものとして説明したが、本発明はこれに限定されるものではなく、それら３つの機能に加えて他の機能を実装するようにしてもよいし、それら３つの機能を全て実装するものでなくてもよい。
【０１２０】
（４）ＩＤユニットが記憶する情報
また、上記の実施例５では、ＩＤユニットが設定情報に加えて発着信履歴情報、加入者識別情報、アプリケーションソフトおよびコンテンツをさらに記憶するものとして説明したが、本発明はこれに限定されるものではなく、これら加入者識別情報、アプリケーションソフトおよびコンテンツのうちどれか一つを記憶する、または、複数を任意の組み合わせで記憶するようにしてもよい。
【０１２１】
（５）通信回路切断時の処理
また、上記の実施例４では、携帯端末と、ＩＤユニットとの通信回路が切断されると、携帯端末が初期設定に係る所定の動作をする場合を説明したが、本発明はこれに限定されるものではなく、携帯端末と、ＩＤユニットとの通信回路が切断されると、携帯端末の電源が切れるようにしてもよい。例えば、電源２０ｊを制御する制御部を設け、通信部３１は、ＩＤユニット６０との通信回路が切断された場合には、電力供給の停止を指示する信号をその制御部に出力し、信号を受け取った制御部が電源２０ｊによる電力供給を停止するようにしてもよい。
【０１２２】
こうすることによって、携帯端末の消費電力を節電することが可能となる。つまり、ユーザによって使用されるとき以外は電源が切れた状態になるように制御するので、携帯端末の消費電力を節電することが可能となる。
【０１２３】
（６）ＩＤユニットの記憶する情報
また、上記の実施例１〜５では、ＩＤユニットが記憶する情報に対して特別な処理を実行しないものとして説明したが、本発明はこれに限定されるものではなく、例えば、ＩＤユニットが記憶する情報に対して暗号処理を実行してもよい。こうすることによって、情報を第三者に知られることを防止することが可能となる。
【０１２４】
（７）システム構成等
また、図示した各装置の各構成要素は機能概念的なものであり、必ずしも物理的に図示の如く構成されていることを要しない。すなわち、各装置の分散・統合の具体的形態は図示のものに限られず、例えば、通信部３０を通信回路確立部、送信部、受信部に分散するなど、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１２５】
また、上記文書中や図面中で示した処理手順、制御手順、具体的名称、各種のデータやパラメータを含む情報については、特記する場合を除いて任意に変更することができる。例えば、「バイブレータ振動」や「非通知着信拒否」などの動作内容に係る名称については、これに限定されるものではなく、その動作内容が特定されるものであればよい。
【０１２６】
（付記１）携帯端末の記憶領域として機能し、前記記憶領域に保持された情報を複数の携帯端末間において交換可能にするＩＤユニットであって、
前記携帯端末の設定に係る種々の情報である設定情報を記憶する記憶手段と、
前記記憶手段に記憶された前記設定情報を前記携帯端末との間で通信する通信手段と、
を備えたことを特徴とするＩＤユニット。
【０１２７】
（付記２）前記記憶手段は、過去に前記携帯端末から発信された電話番号および過去に前記携帯端末で着信した電話番号を含んだ発着信履歴情報をさらに記憶し、
前記通信手段は、前記記憶手段に記憶された前記発着信履歴情報を前記携帯端末との間で通信することを特徴とする付記１に記載のＩＤユニット。
【０１２８】
（付記３）前記記憶手段は、前記携帯端末がユーザに通信サービスを提供するために必要な種々の情報である加入者識別情報をさらに記憶し、
前記通信手段は、前記記憶手段に記憶された前記加入者識別情報を前記携帯端末との間で通信することを特徴とする付記１または２に記載のＩＤユニット。
【０１２９】
（付記４）前記通信手段は、前記携帯端末との間の通信を非接触で行うことを特徴とする付記１、２または３記載のＩＤユニット。
【０１３０】
（付記５）前記記憶手段が記憶する情報を外部の情報処理装置との間で通信する外部通信手段をさらに備えたことを特徴とする付記１〜４のいずれか一つに記載のＩＤユニット。
【０１３１】
（付記６）前記携帯端末を操作しようとする者の正当性を認証する認証手段をさらに備え、
前記通信手段は、前記認証手段によって正当性が認められた場合にのみ通信を許可することを特徴とする付記１〜５のいずれか一つに記載のＩＤユニット。
【０１３２】
（付記７）前記記憶手段は、当該記憶手段に記憶される前記情報を暗号化した状態で記憶することを特徴とする付記１〜６のいずれか一つに記載のＩＤユニット。
【０１３３】
（付記８）前記記憶手段は、文字データ、静止画データ、動画データまたは音声データを扱うアプリケーションソフトをさらに記憶することを特徴とする付記１〜７のいずれか一つに記載のＩＤユニット。
【０１３４】
（付記９）前記記憶手段は、所定のアプリケーションソフトで扱われる文字データ、静止画データ、動画データまたは音声データのコンテンツをさらに記憶することを特徴とする付記１〜８のいずれか一つに記載のＩＤユニット。
【０１３５】
（付記１０）携帯端末と、前記携帯端末の記憶領域として機能し、前記記憶領域に保持された情報を複数の携帯端末間において交換可能にするＩＤユニットとからなる携帯端末システムであって、
前記ＩＤユニットは、
前記携帯端末の設定に係る種々の情報である設定情報を記憶する記憶手段と、
前記記憶手段に記憶された前記設定情報を前記携帯端末との間で通信する対携帯端末通信手段と、
を備え、
前記携帯端末は、
前記記憶手段に記憶された前記設定情報を前記ＩＤユニットとの間で通信する対ＩＤユニット通信手段と、
前記対ＩＤユニット通信手段を介して受け取った前記設定情報に応じて動作するように制御する動作制御手段と、
を備えたことを特徴とする携帯端末システム。
【０１３６】
（付記１１）前記記憶手段は、前記携帯端末がユーザに通信サービスを提供するために必要な種々の情報である加入者識別情報をさらに記憶し、
前記動作制御手段は、前記記憶手段が記憶する前記加入者識別情報を用いて通信サービスを実行するように制御することを特徴とする付記１０に記載の携帯端末システム。
【０１３７】
（付記１２）前記携帯端末は、
前記対ＩＤユニット通信手段の通信状態を監視し、通信状態が途切れた場合には、自身の電源を切る電源管理手段をさらに備えたことを特徴とする付記１０または１１に記載の携帯端末システム。
【０１３８】
（付記１３）前記携帯端末は、
前記対ＩＤユニット通信手段の通信状態を監視し、通信状態が途切れた場合には、前記動作制御手段が予め設定された初期の設定情報に応じて動作するように制御する動作管理手段をさらに備えたことを特徴とする付記１０、１１または１２に記載の携帯端末システム。
【産業上の利用可能性】
【０１３９】
以上のように、本発明に係るＩＤユニットは、携帯端末の記憶領域として機能し、記憶領域に保持された情報を複数の携帯端末間において交換可能にする場合に有用であり、特に、携帯端末の設定に係る種々の情報を携帯端末間で引き継ぐことに適する。
【図面の簡単な説明】
【０１４０】
【図１】実施例１に係る携帯端末システムの概要および特徴を説明するための図である。
【図２】実施例１に係るＩＤユニットの構成を示すブロック図である。
【図３】設定情報記憶部が記憶する情報の例を示す図である。
【図４】実施例１に係る携帯端末の構成を示すブロック図である。
【図５】実施例１に係る携帯端末およびＩＤユニットによる処理の流れを示すフローチャートである。
【図６】実施例２に係るＩＤユニットの概要および特徴を説明するための図である。
【図７】実施例２に係るＩＤユニットの構成を示すブロック図である。
【図８】実施例２に係るＩＤユニットによる通信処理の流れを示すフローチャートである。
【図９】実施例３に係るＩＤユニットの概要および特徴を説明するための図である。
【図１０】実施例３に係るＩＤユニットの構成を示すブロック図である。
【図１１】実施例３に係るＩＤユニットによる認証処理の流れを示すフローチャートである。
【図１２】実施例４に係る携帯端末システムの概要および特徴を説明するための図である。
【図１３】実施例４に係る携帯端末の構成を示すブロック図である。
【図１４】実施例４に係る携帯端末による処理の流れを示すフローチャートである。
【図１５】実施例５に係るＩＤユニットの構成を示すブロック図である。
【図１６】実施例５に係る携帯端末の構成を示すブロック図である。
【図１７】実施例３の変形例を説明するための図である。
【符号の説明】
【０１４１】
１０  携帯端末
２０ａ  アンテナ
２０ｂ  ディスプレイ
２０ｃ  スピーカ
２０ｄ  受話スピーカ
２０ｅ  マイクロフォン
２０ｆ  バイブレータ
２０ｇ  タイマ
２０ｈ  ＬＥＤ
２０ｉ  操作ボタン
２０ｊ  電源
３０  通信部
４０  記憶部
４１  設定情報記憶部
５０  制御部
５１  通話処理部
５２  メール処理部
５３  Ｗｅｂ処理部
６０  ＩＤユニット
７０  設定情報記憶部
８０  通信部
【図１】
2008135867.tif 000003
【図２】
2008135867.tif 000004
【図３】
2008135867.tif 000005
【図４】
2008135867.tif 000006
【図５】
2008135867.tif 000007
【図６】
2008135867.tif 000008
【図７】
2008135867.tif 000009
【図８】
2008135867.tif 000010
【図９】
2008135867.tif 000011
【図１０】
2008135867.tif 000012
【図１１】
2008135867.tif 000013
【図１２】
2008135867.tif 000014
【図１３】
2008135867.tif 000015
【図１４】
2008135867.tif 000016
【図１５】
2008135867.tif 000017
【図１６】
2008135867.tif 000018
【図１７】
2008135867.tif 000019